(57)【要約】    【課題】  照明機能と警報機能を備えていて夜間の地震等の災害発生時に有用な眼鏡立てを提供する。    【解決手段】  つるを畳んだ眼鏡を収容する筒状本体１ａと、筒状本体の下部に位置する台部１ｂ、とを備えている眼鏡立て１において、台部１ｂに光源用の発光体９と電源用の電池１１を収納して点灯回路を構成し、この点灯回路をオンオフ制御する照明用スイッチ７，８を設けて照明具として使用できるようにし、更に警報音発生器５とこの警報音発生器の動作をオンオフ制御する警報用スイッチ６を設けて警報装置としても使用できるようにした。従って、この考案のランプ付き眼鏡立ては非常時の簡易照明具と警報装置としても利用できて、夜間の災害に備えて懐中電灯や警報装置を別途用意しておく必要がなく、防災用機器あるいは介護用機器として大いに有用である。【選択図】      図３
0003102067.tif 000002
【実用新案登録請求の範囲】
【請求項１】
つるを畳んだ眼鏡を収容する筒状本体と、この筒状本体の下部に位置する台部、とを備えており、台部に光源用の発光体と電源用の電池を収納して点灯回路を構成し、この点灯回路をオンオフ制御する照明用スイッチを設けて照明具としても使用できるようにしたものにおいて、警報音発生器とこの警報音発生器の動作をオンオフ制御する警報用スイッチを設けて警報装置としても使用できるように構成したことを特徴とするランプ付き眼鏡立て。
【請求項２】
上記照明用スイッチとして、正常な設置状態でオフ、それ以外でオンとなる自動スイッチが設けられている請求項１記載のランプ付き眼鏡立て。
【請求項３】
上記照明用スイッチとして、人が操作する手動スイッチが設けられている請求項１記載のランプ付き眼鏡立て。
【請求項４】
照明用スイッチとして、人が操作する手動スイッチが設けられている請求項２記載のランプ付き眼鏡立て。
【請求項５】
上記警報用スイッチにより警報音発生器の動作を照明用スイッチとは無関係にオンオフ制御できるように構成されている請求項１乃至４のいずれかに記載のランプ付き眼鏡立て。
【考案の詳細な説明】
【技術分野】
【０００１】
この考案は、照明具としての機能と警報装置としての機能をも備えた眼鏡立てに関するものである。
【背景技術】
【０００２】
眼鏡立ては、つるを畳んだ眼鏡を入れて立てて置いておくものであって、一般に眼鏡を収容する筒状本体と、この筒状本体の下部に位置する台部とで構成されており、就寝時には枕元に置かれるのが普通である。就寝中に大地震や火災が発生した際には、いち早く眼鏡を着用して次の行動を起こさなければならないため、停電などの場合に備えて懐中電灯も枕元に置いておく必要がある。なお、平成７年の兵庫県南部地震はまだ夜が明けない時刻に発生しており、まず眼鏡や照明具を探した被災者が多かったという調査結果が知られている。
【０００３】
本考案者はこの点に着目し、下記のように照明具としての機能を備えた眼鏡立てを提案している。
【特許文献１】登録実用新案第３０９７２６３号公報
【考案の開示】
【考案が解決しようとする課題】
【０００４】
しかしながら、眼鏡立てに照明具としての機能を備えただけでは、地震で倒壊した家屋の下敷きになった場合や、寝たきりの病人やお年寄りが緊急に誰かを呼びたい場合などに周囲の人に気付いてもらえない可能性が多分にある。この考案はこの点に着目し、容易に自分の存在を知らせて救助を求めたり、人を呼んでいることを知らせたりすることができるような眼鏡立てを提供することを課題としてなされたものである。
【課題を解決するための手段】
【０００５】
上記の課題を達成するために、この考案のランプ付き眼鏡立ては、つるを畳んだ眼鏡を収容する筒状本体と、この筒状本体の下部に位置する台部、とを備えており、台部に光源用の発光体と電源用の電池を収納して点灯回路を構成し、この点灯回路をオンオフ制御する照明用スイッチを設けて照明具としても使用できるようにしたものにおいて、警報音発生器とこの警報音発生器の動作をオンオフ制御する警報用スイッチを設けて警報装置としても使用できるように構成されている。このような構成により、夜間の災害に備えて懐中電灯を別途用意しておく必要がなくなり、眼鏡立てに備えられている照明機能を利用することによって、速やかに眼鏡を探して次の行動に移ることが容易となるだけでなく、警報装置としての機能を利用することにより、自分の存在を知らせて救助を求めたり、人を呼んでいることを知らせたりすることが容易となる。
【０００６】
上記の照明用スイッチとして、正常な設置状態でオフ、それ以外でオンとなる自動スイッチと、人が操作する手動スイッチのいずれか、あるいは両方が設けられる。このような構成により、自動スイッチを設けたものでは、眼鏡立てが倒れたり、持ち上げられたりすると自動的に点灯するので便利であり、手動スイッチを設けたものでは、必要に応じて点灯させることができる。また、自動スイッチと手動スイッチを設けたものでは、両方の機能を発揮させることができる。
【０００７】
上記の警報用スイッチは、警報音発生器の動作を照明用スイッチとは無関係にオンオフ制御できるように構成される。これにより警報機能は照明機能とは関係なく独立して発揮させることができる。
【考案の効果】
【０００８】
この考案のランプ付き眼鏡立ては、つるを畳んだ眼鏡を収容する筒状本体と、筒状本体の下部に位置する台部、とを備えており、台部に光源用の発光体と電源用の電池を収納して点灯回路を構成し、この点灯回路をオンオフ制御する照明用スイッチを設けて照明具としても使用できるようにしたものにおいて、警報音発生器とこの警報音発生器の動作をオンオフ制御する警報用スイッチを設けて警報装置としても使用できるように構成したものである。従って、この考案によれば夜間の災害に備えて懐中電灯を別途用意しておく必要がなく、照明具の機能を利用することにより、速やかに眼鏡を探して次の行動に移ることが容易となるだけでなく、警報装置としての機能を利用して自分の存在を知らせて救助を求めたり、人を呼んでいることを知らせたりすることが容易となるのであり、防災用機器あるいは介護用機器として大いに有用な眼鏡立てを得ることができる。
【０００９】
また、照明用スイッチとして、正常な設置状態でオフ、それ以外でオンとなる自動スイッチと、人が操作する手動スイッチのいずれかあるいは両方が設けられている。従って、自動スイッチを設けたものでは、眼鏡立てが倒れたり、持ち上げられたりすると自動的に点灯するように構成でき、手動スイッチを設けたものでは、必要に応じて点灯させることができる。また、自動スイッチと手動スイッチを設けたものでは、両方の機能を発揮させることができる。
【００１０】
また、警報用スイッチにより警報音発生器の動作を照明用スイッチとは無関係にオンオフ制御できるように構成したものでは、照明機能とは関係なく独立して警報機能を発揮させることができる。
【考案を実施するための最良の形態】
【００１１】
以下、この考案を実施した眼鏡立ての一例について説明する。図１は斜視図、図２は底面図、図３は内部の部品配置を上から見た部品配置図、図４は回路図である。
【実施例】
【００１２】
図において、１はこの考案の眼鏡立てであって、断面が長円形である筒状本体１ａと、この筒状本体１ａの下部に一体に形成されている台部１ｂから構成されている。筒状本体１ａの上面は開口し、底面は台部１ｂで塞がれており、台部１ｂの下面には図示しないビスによって底板１ｃが取り付けられている。１ｄはビス穴である。底板１ｃの中央部分は下面に蓋１ｅを備えた薄い箱状の電池ケース１ｆとなっており、電池ケース１ｆの上面とその周辺のスペースに回路部が収納されている。筒状本体１ａと台部１ｂ、底板１ｃ、蓋１ｅはそれぞれ例えばＡＢＳ樹脂などの硬質プラスチックの成形品で構成され、筒状本体１ａの内面と台部１ｂの上面は発泡ウレタンシートなどの柔軟な保護シートで覆われている。
【００１３】
図３に示すように、電池ケース１ｆの上面にプリント基板２が取付られている。このプリント基板２は所要の回路パターンを備えもので、発振／増幅用ＩＣ３、整合用トランス４、警報音発生器である圧電素子ブザー５、警報用スイッチ６等が実装されている。圧電素子ブザー５には厚みの小さい扁平な形状のものが使用され、これに対応して筒状本体１ａの底面には放音穴が適宜形成されている。また電池ケース１ｆの周辺には、照明用の自動スイッチである転倒スイッチ７、照明用の手動スイッチである電源スイッチ８、光源用の発光体である発光ダイオード９がそれぞれ取り付けられている。
【００１４】
図１に示すように、警報用スイッチ６はその操作部６ａが台部１ｂの側面に形成された穴から横向きに若干突出するような状態で装着されており、操作部６ａを押すごとに押し込まれた状態と突出した状態が切り替わり、押し込まれた状態でオンとなり、突出した状態でオフとなる構造のものが使用されている。転倒スイッチ７は突出する方向に付勢されたアクチュエータ７ａを備えたものであって、アクチュエータ７ａを底板１ｃに形成された穴から下向きに突出する状態で装着されており、アクチュエータ７ａが底板１ｃから突出した状態でオンとなるような構造のものが使用されている。電源スイッチ８はその操作部８ａが底板１ｃの下面に露出する状態で装着されている。また発光ダイオード９は、その先端のレンズ部９ａが底板１ｃに形成された穴に位置し、且つ底板１ｃからは突出しない状態で装着されている。この発光ダイオード９としては例えば超高輝度白色発光ダイオードが使用される。
【００１５】
以上の各構成部材は図４に示すように接続されて所要の回路を構成しており、図の右側が照明機能の回路、左側が警報機能の回路となっている。１１は電池ケース１ｆに収容される電池、１２は電流制限用の保護抵抗である。なお、電池１１としては例えば単４型の乾電池が使用されるが、眼鏡立て１のサイズによっては単３型など他の規格の電池を使用してもよい。
【００１６】
この例の眼鏡立て１は上述のような構成であり、電池１１をセットした状態で通常は電源スイッチ８をオンにし、警報用スイッチ６をオフにして使用される。従って、台部１ｂを下にして正常な姿勢で立てた状態では、アクチュエータ７ａが押し込まれて転倒スイッチ７がオフとなるので発光ダイオード９は消灯しているが、眼鏡立て１が倒れたり持ち上げられたりしてアクチュエータ７ａが底板１ｃから突出すると、転倒スイッチ７がオンとなって発光ダイオード９が点灯する。
【００１７】
このため、就寝時に眼鏡立て１を枕元に立てて置くと、正常時には発光ダイオード９は点灯しないが、地震等で眼鏡立て１が倒れると発光ダイオード９が自動的に、且つ簡易照明用として十分な明るさで点灯するので、筒状本体１ａに入れてあった眼鏡を探すことができ、更に避難その他の必要な行動に移ることができる。また、必要に応じて眼鏡立て１を持ち上げても発光ダイオード７が自動的に点灯するので、夜間の簡易照明用としてそのまま利用できるのである。また、眼鏡立て１を持ち上げ、あるいは転倒させた状態では電源スイッチ８の操作に応じて発光ダイオード９がオンオフするので、簡易照明用として通常の懐中電灯に準じた使用が可能となる。なお、単４型や単３型の乾電池を使用した場合には、ボタン型電池と比較してかなりの重量があるので重りとしての機能が発揮され、眼鏡立て１の重心が低くなって立てた場合の安定性が向上する。昼間や自動点灯が必要ない時には電源スイッチ８をオフにしておけばよく、これにより眼鏡立て１が倒れても点灯しないので、電池１１の無用な消耗を防ぐことができる。
【００１８】
一方、警報用スイッチ６をオンにすれば、発振／増幅用ＩＣ３、整合用トランス４、圧電素子ブザー５で構成されている警報機能の回路が動作して警報音が発生するが、この動作は転倒スイッチ７や電源スイッチ８の状態に関係なく行うことができる。ここで、単なる警報発生装置の場合には例えば就寝中の地震で家屋が倒壊した場合、警報発生装置の所在自体が判らなくなって警報音を発することができなくなる可能性があるが、この考案によれば眼鏡立て１が倒れると発光ダイオード９が自動的に点灯して眼鏡立て１の所在がすぐに判るので、付属する警報用スイッチ６を操作することが容易となり、必要に応じて警報音を発して自分の存在を知らせることが確実に行えるのである。また救助を求める場合でなく、寝たきりの人が誰かを呼ぶような場合でも、警報音を発して呼んでいることを容易に知らせることができる。
【００１９】
なお、点灯回路の構成、及び転倒スイッチ７と電源スイッチ８によるオンオフ制御の仕様は上述の例に限定されるものではなく、例えば転倒スイッチ７のみを設けて夜間の非常時専用とすることができ、場合によっては電源スイッチ８のみを設けたものとすることもできる。またこの考案の眼鏡立ては、携帯電話入れやペン立てなどの小物入れとしても利用することができる。
【図面の簡単な説明】
【００２０】
【図１】この考案の一実施例の斜視図である。
【図２】同実施例の底面図である。
【図３】同実施例の部品配置を上から見た部品配置図である。
【図４】同実施例の回路図である。
【符号の説明】
【００２１】
１  眼鏡立て
１ａ  筒状本体
１ｂ  台部
１ｃ  底板
１ｆ  電池ケース
２  プリント基板
５  圧電素子ブザー（警報音発生器）
６  警報用スイッチ
７  転倒スイッチ（照明用自動スイッチ）
８  電源スイッチ（照明用手動スイッチ）
９  発光ダイオード（光源用発光体）
１１  電池
【図１】
0003102067.tif 000003
【図２】
0003102067.tif 000004
【図３】
0003102067.tif 000005
【図４】
0003102067.tif 000006